(57)【要約】髪の毛を種々のやり方でスタイリングするための複数のモードを有するヘアスタイリング装置（１）。ヘアスタイリング装置は、ジョイント（３）の周りで延在位置と閉位置との間で枢動移動可能な少なくとも２つの細長い構成要素（２）を有する。各細長い構成要素はスタイリング部分（４、５）及びハンドル（６）を有する。装置は、いずれかの細長い構成要素に移動可能に連結可能なクランプ（７）、温度制御手段（１０）及び電源手段をさらに有する。ヘアスタイリング装置はそれによって携帯用であり、多機能である。【選択図】図１
2021512750.tif 000002
【特許請求の範囲】
【請求項１】
髪の毛を種々なファッションにスタイリングするための複数のモードを有するヘアスタイリング装置であって、
ジョイントの周りに枢動可能に連結されている少なくとも２つの細長い構成要素であって、該少なくとも２つの細長い構成要素は、前記ジョイントの周りで延在位置と閉位置との間で枢動移動可能であり、各細長い構成要素はスタイリング部分及びハンドルを備える、少なくとも２つの細長い構成要素、
前記少なくとも２つの細長い構成要素のいずれかに連結可能なクランプであって、該クランプは、いずれかの細長い構成要素に連結されると、第１の開位置と第２の閉位置との間で移動可能である、クランプ、及び、
電源手段、を備える、
ヘアスタイリング装置。
【請求項２】
前記スタイリング部分は、前記細長い構成要素の一端に対して近位で前記細長い構成要素の一部に沿って位置決め可能であり、前記ハンドルは、前記細長い構成要素の、前記スタイリング部分に対して反対の端に近位で前記細長い構成要素の一部に沿って位置決め可能であることを特徴とする、請求項１に記載のヘアスタイリング装置。
【請求項３】
前記少なくとも２つの細長い構成要素間の前記ジョイントは、前記ハンドルの、前記スタイリング部分に対して遠位の端に対して近位に位置付けられることを特徴とする、請求項２に記載のヘアスタイリング装置。
【請求項４】
前記少なくとも２つの細長い構成要素は、第１の細長いアーム及び第２の細長いアームを備えることを特徴とする、請求項１〜３のいずれか一項に記載のヘアスタイリング装置。
【請求項５】
前記第１の細長いアーム及び前記第２の細長いアームは、第１のスタイリング部分、第２のスタイリング部分及びハンドルをそれぞれ備えることを特徴とする、請求項４に記載のヘアスタイリング装置。
【請求項６】
前記第１の細長いアームの前記第１のスタイリング部分は、前記第２の細長いアームの前記第１のスタイリング部分に対応して位置付けられ、前記第１の細長いアームの前記第２のスタイリング部分は、前記第２の細長いアームの前記第２のスタイリング部分に対応して位置付けられ、前記第１の細長いアームの前記ハンドルは、前記第２の細長いアームの前記ハンドルに対応して位置付けられることを特徴とする、請求項５に記載のヘアスタイリング装置。
【請求項７】
前記第１の細長いアーム及び前記第２の細長いアームの前記第１のスタイリング部分は外面を含むことを特徴とする、請求項５又は６に記載のヘアスタイリング装置。
【請求項８】
前記スタイリング部分の断面積は、その長さに沿ってテーパ状になっていることを特徴とする、請求項１〜７のいずれか一項に記載のヘアスタイリング装置。
【請求項９】
前記第１の細長いアームの前記第１のスタイリング部分及び前記第２の細長いアームの前記第１のスタイリング部分は、枢動可能に係合して前記閉位置になると組み合わせられ、外側スタイリング面を含むことを特徴とする、請求項５〜８のいずれか一項に記載のヘアスタイリング装置。
【請求項１０】
前記外側スタイリング面は概ね円錐状の形状であることを特徴とする、請求項９に記載のヘアスタイリング装置。
【請求項１１】
前記第１の細長いアーム及び前記第２の細長いアームの前記第１のスタイリング部分は、半円錐状であり、互いに係合すると、前記ヘアスタイリング装置の概ね円錐形状の外側スタイリング面を形成することを特徴とする、請求項９又は１０に記載のヘアスタイリング装置。
【請求項１２】
前記第１の細長いアーム及び前記第２の細長いアームの前記第１のスタイリング部分は、半円錐台状であり、互いに係合すると、前記ヘアスタイリング装置の概ね円錐形状の外側スタイリング面を形成することを特徴とする、請求項１１に記載のヘアスタイリング装置。
【請求項１３】
内側スタイリング面であって、前記少なくとも２つの細長い構成要素の相対する面によって画成される、内側スタイリング面を含む、請求項１〜１２のいずれか一項に記載のヘアスタイリング装置。
【請求項１４】
前記第１の細長いアーム及び前記第２の細長いアームは第２のスタイリング部分を備え、前記ヘアスタイリング装置の一方又は双方の細長いアームの前記第２のスタイリング部分は内側スタイリング面を含み、一方又は双方の細長いアームの前記内側スタイリング面は、前記細長いアームの一方又は双方の前記スタイリング部分のそれぞれの内面を含むことを特徴とする、請求項４に従属する場合の請求項１３に記載のヘアスタイリング装置。
【請求項１５】
前記内側スタイリング面はプレートを備えることを特徴とする、請求項１４に記載のヘアスタイリング装置。
【請求項１６】
前記内側スタイリング面の前記プレートは波状のプレートであることを特徴とする、請求項１５に記載のヘアスタイリング装置。
【請求項１７】
クランプであって、作動レバー及び湾曲したプレートを備え、前記ヘアスタイリング装置の細長い構成要素に枢動可能に連結されている、クランプを備える、請求項１〜１６のいずれか一項に記載のヘアスタイリング装置。
【請求項１８】
前記クランプは、前記ヘアスタイリング装置の、それぞれの前記第１のスタイリング部分に対して近位の前記少なくとも２つの細長いアームのうちの少なくとも一方に枢動可能に取り付けられることを特徴とする、請求項５に従属する場合の請求項１７に記載のヘアスタイリング装置。
【請求項１９】
クランプは細長いプレートを備え、該細長いプレートは、形状及び長さが前記ヘアスタイリング装置の前記外側スタイリング面に対応することを特徴とする、請求項９に従属する場合の請求項１７に記載のヘアスタイリング装置。
【請求項２０】
前記細長いプレートは半円錐状のプレートであることを特徴とする、請求項１９に記載のヘアスタイリング装置。
【請求項２１】
前記細長いプレートは半円錐台状のプレートであることを特徴とする、請求項１９に記載のヘアスタイリング装置。
【請求項２２】
前記クランプは、付勢手段を介して、前記ヘアスタイリング装置の少なくとも１つの細長い構成要素に向かって垂直に付勢されることを特徴とする、請求項１７〜２１のいずれか一項に記載のヘアスタイリング装置。
【請求項２３】
加熱手段であって、前記電源手段は該加熱手段に動作可能に係合する、加熱手段を備え、前記ヘアスタイリング装置は熱制御手段をさらに備え、該熱制御手段は、前記加熱手段が前記外側スタイリング面、前記内側スタイリング面及び／又は前記クランプの少なくとも一部を加熱する温度を制御することを特徴とする、請求項９に従属する場合の請求項１４に従属する場合の請求項１７に記載のヘアスタイリング装置。
【請求項２４】
モード選択手段であって、３つの加熱可能なスタイリング面のうちのどれを加熱するかを決定する手段を備える、モード選択手段を備える、請求項２３に記載のヘアスタイリング装置。
【請求項２５】
前記電源手段は少なくとも１つのバッテリを含むことを特徴とする、請求項１〜２４のいずれか一項に記載のヘアスタイリング装置。
【請求項２６】
前記バッテリは充電式であることを特徴とする、請求項２５に記載のヘアスタイリング装置。
【請求項２７】
前記電源手段は充電手段を含み、該充電手段は少なくとも１つの充電ポートを含むことを特徴とする、請求項２６に記載のヘアスタイリング装置。
【請求項２８】
ユーザの手が使用時に前記ハンドルから前記スタイリング部分に移動することを防止する安全手段を備える、請求項１〜２７のいずれか一項に記載のヘアスタイリング装置。
【請求項２９】
前記細長い構成要素を付勢して離す細長い構成要素の付勢手段を備える、請求項１〜２８のいずれか一項に記載のヘアスタイリング装置。
【請求項３０】
前記細長い構成要素を一緒にロックするように動作可能なロックを備える、請求項１〜２９のいずれか一項に記載のヘアスタイリング装置。
【発明の詳細な説明】
【技術分野】
【０００１】
本発明は、ヘアスタイリング装置に関し、特に、多機能の携帯用ヘアスタイリング装置に関する。
【背景技術】
【０００２】
現代社会では、人々は、きれいなイメージを維持するために、職業的及び社会的な双方のプレッシャーに直面している。しかし、今日において人々に多くの要求が課されていると仮定すると、そのような美的な傾向を保つ時間は減少する可能性がある。これは、特に、自身のヘアスタイルを一日中完璧に保ちたいロングヘアの人々の場合である。
現在、ロングヘアの人々は、市場にある多くのヘアスタイリング器具が有線であるため、自身の好ましいスタイルを維持できる方法及び場所が限られている。これらの器具は固定された電源コンセントの使用を必要としており、頻繁に移動する人々にとっては便利でない可能性がある。代替的には、充電式バッテリを有する携帯用である他の器具も利用可能であるが電力が限られているために、カール又はストレート又はウェーブ等の１つのスタイルしか実現が容易でない。したがって、ロングヘアの人々は、スタイルの組み合わせを望む場合には２つ以上の機器を持ち運ぶことが必要となるか、又は、上述したスタイルの組み合わせを伴う髪型を達成することはできない。
【０００３】
さらに、カールスタイルに関して、現在の器具は、均一な直径のクランプされたカール又は異なる直径のカールのいずれかの選択肢がある。
前者は、従来のカールアイロン／鏝によって達成され、このスタイリング端は、加熱される金属シリンダからなり、シリンダの外側にはレバー状のクランプアーム／鏝が取り付けられている。
後者は、カールワンドによって達成され、このスタイリング端は、円錐形状の加熱素子からなり、通常はいかなる種類のクランプも省かれている。その代わり、ユーザには、自身の選択したカール直径を実施するために、防熱グローブが提供される。したがって、カールワンドは、自身のグローブを忘れたか又は失くし、何らかの耐熱保護装備なしに器具を使用して自身の髪の毛をスタイリングしようとする人々に対して、固有の熱傷のリスクを呈する。
【発明の概要】
【発明が解決しようとする課題】
【０００４】
本発明の目的は、ロングヘアの人々が有線又は１機能の携帯用ヘアスタイリング器具に制限されるという問題をなくすか又は軽減することである。本発明は、自身の耐熱グローブ又は器具を使用するのに必要な他の安全装備を置き忘れたヘアワンドユーザに対する熱傷のリスクをさらに軽減する。
【課題を解決するための手段】
【０００５】
本発明は、髪の毛を種々のやり方でスタイリングするための複数のモードを有するヘアスタイリング装置であって、ジョイントの周りに枢動可能に連結されている少なくとも２つの細長い構成要素であって、少なくとも２つの細長い構成要素は、ジョイントの周りで延在位置と閉位置との間で枢動移動可能であり、各細長い構成要素はスタイリング部分及びハンドルを備える、少なくとも２つの細長い構成要素、少なくとも２つの細長い構成要素のいずれかに連結可能なクランプであって、クランプは、いずれかの細長い構成要素に連結されると、第１の開位置と第２の閉位置との間で移動可能である、クランプ、及び電源手段を備える、ヘアスタイリング装置を提供する。
【０００６】
一実施形態では、ヘアスタイリング装置は温度制御手段を備える。
【０００７】
好ましくは、少なくとも２つの細長い構成要素間のジョイントは、各細長い構成要素の一方の縦方向端に対して近位に位置付けられる。
【０００８】
好ましくは、細長い構成要素は、概ね同様のサイズ及び寸法である。
【０００９】
理想的には、細長い構成要素は、概ね等しいサイズ及び寸法である。
【００１０】
好ましくは、スタイリング部分は、細長い構成要素の一部に沿って位置決め可能である。
【００１１】
理想的には、スタイリング部分は、細長い構成要素の一端に対して近位で細長い構成要素の一部に沿って位置決め可能である。
【００１２】
好ましくは、ハンドルは、細長い構成要素の一部に沿って位置決め可能である。
【００１３】
理想的には、ハンドルは、細長い構成要素の、スタイリング部分に対して反対の端に近位で細長い構成要素の一部に沿って位置決め可能である。
【００１４】
好ましくは、少なくとも２つの細長い構成要素間のジョイントは、ハンドルに又はハンドルの周りに位置付けられ、最も好ましくは、ハンドルの、スタイリング部分に対して遠位の端に対して近位に位置付けられる。
【００１５】
有利には、細長い構成要素がジョイントの周りに延在すると、ハンドル及びスタイリング部分は離れる。これは大きなスペースを提供し、この内部に髪の毛を受け取ってスタイリングを可能にできる。
【００１６】
好ましくは、スタイリング部分は、細長い構成要素の中央から一端まで、細長い構成要素のおよそ半分に沿って位置決め可能である。
【００１７】
好ましくは、スタイリング部分は、細長い構成要素の中央からハンドルに対して反対端まで、細長い構成要素のおよそ半分に沿って位置決め可能である。
【００１８】
理想的には、少なくとも２つの細長い構成要素は第１の細長いアームを備える。
【００１９】
理想的には、少なくとも２つの細長い構成要素は第２の細長いアームを備える。
【００２０】
好ましくは、第１の細長いアームは第２の細長いアームと枢動係合する。
【００２１】
理想的には、第１の細長いアームは第１のスタイリング部分を備える。
【００２２】
理想的には、第１の細長いアームは第２のスタイリング部分を備える。
【００２３】
理想的には、第１の細長いアームはハンドルを備える。
【００２４】
理想的には、第２の細長いアームは第１のスタイリング部分を備える。
【００２５】
理想的には、第２の細長いアームは第２のスタイリング部分を備える。
【００２６】
理想的には、第２の細長いアームはハンドル部分を備える。
【００２７】
理想的には、第１の細長いアームの第１のスタイリング部分は、第２の細長いアームの第１のスタイリング部分に対応して位置付けられる。
【００２８】
対応して位置付けられるとは、本発明では、他方の細長い構成要素にあるそれぞれのスタイリング部分及びハンドルの位置の鏡像になるように、それぞれのスタイリング部分及びハンドルがそれぞれの細長い構成要素に沿って位置付けられ、各それぞれのスタイリング部分及びハンドルが使用時にその相手方と協働することを可能にすることを意味する。
【００２９】
理想的には、第１の細長いアームの第２のスタイリング部分は、第２の細長いアームの第２のスタイリング部分に対応して位置付けられる。
【００３０】
理想的には、第１の細長いアームのハンドルは、第２の細長いアームのハンドルに対応して位置付けられる。
【００３１】
好ましくは、第１の細長いアームの第１のスタイリング部分は外面を含む。
【００３２】
外面とは、本発明では、第１の細長いアーム及び第２の細長いアームが枢動可能に一緒に連結されて閉位置になると、ヘアスタイリング装置の他方の細長いアームに対する各それぞれの細長いアームの外側に面する面を意味する。
【００３３】
理想的には、第２の細長いアームの第１のスタイリング部分は外面を含む。
【００３４】
理想的には、第１の細長いアームの第１のスタイリング部分及び第２の細長いアームの第１のスタイリング部分は、枢動可能に係合して閉位置になると組み合わせられ、外側スタイリング面を含む。
【００３５】
外側スタイリング面とは、本発明では、第１の細長いアーム及び第２の細長いアームが互いに枢動可能に係合して閉位置になったときに、組み合わせた第１の細長いアーム及び第２の細長いアームの外面の組み合わせられた外面、すなわち、他方の細長いアームと接触しないスタイリング部分を意味する。
【００３６】
枢動係合とは、本発明では、細長いアームのそれぞれが、それらの接続枢動点を中心に、互いに向かって、ユーザが力を印加するとそれらの相互に相対する内面が係合する程度まで移動することを意味する。
【００３７】
理想的には、外側スタイリング面は、第１の細長いアームの第１のスタイリング部分、及び、第２の細長いアームの第１のスタイリング部分を含む。
【００３８】
理想的には、外側スタイリング面は、それぞれの細長いアームが枢動可能に係合して閉位置になるときの、第１の細長いアームの第１のスタイリング部分及び第２の細長いアームの第１のスタイリング部分を含む。
【００３９】
理想的には、スタイリング部分の断面積は、その長さに沿ってテーパ状になっている。
【００４０】
理想的には、スタイリング部分の断面積は、その長さに沿って、ヘアスタイリング装置の一端における位置までテーパ状になっている。
【００４１】
理想的には、スタイリング部分の断面積は、第１の細長いアーム及び第２の細長いアームが枢動可能に係合して閉位置になると、その長さに沿って、ヘアスタイリング装置の一端における位置までテーパ状になっている。
【００４２】
理想的には、外側スタイリング面の断面積は、その長さに沿ってテーパ状になっている。
【００４３】
理想的には、外側スタイリング面の断面積は、ヘアスタイリング装置の長さに沿って、ヘアスタイリング装置の一端における位置までテーパ状になっている。
【００４４】
理想的には、外側スタイリング面の断面積は、第１の細長いアーム及び第２の細長いアームが枢動可能に係合して閉位置になると、ヘアスタイリング装置の長さに沿って、ヘアスタイリング装置の一端における位置までテーパ状になっている。
【００４５】
理想的には、第１の細長いアームの第１のスタイリング部分は半円錐状である。
【００４６】
理想的には、第２の細長いアームの第１のスタイリング部分は半円錐状である。
【００４７】
理想的には、第１の細長いアーム及び第２の細長いアームの第１のスタイリング部分は半円錐状である。
【００４８】
理想的には、外側スタイリング面は概ね円錐状の形状である。
【００４９】
有利には、第１のアーム及び第２のアームの第１のスタイリング部分を半円錐状にするとは、第１のアーム及び第２のアームが、互いに係合したときに、組み合わせられて円錐形状を形成することを意味する。外側スタイリング面は、ユーザが、必要に応じて直径方向に縮小又は増大するカールを作り出すことが可能である。
【００５０】
理想的には、第１の細長いアームの第１のスタイリング部分は半円錐台状である。
【００５１】
理想的には、第２の細長いアームの第１のスタイリング部分は半円錐台状である。
【００５２】
理想的には、第１の細長いアーム及び第２の細長いアームの第１のスタイリング部分は、半円錐台状であり、互いに係合すると、ヘアスタイリング装置の概ね円錐形状の外側スタイリング面を形成する。
【００５３】
有利には、第１のアーム及び第２のアームの第１のスタイリング部分を半円錐台状にするとは、第１のアーム及び第２のアームが、互いに係合すると、組み合わせられて円錐台形状を形成することを意味し、外側スタイリング面は、ユーザが必要に応じて直径方向に縮小又は増大するカールを作り出すことが可能である。
【００５４】
理想的には、第１のスタイリング部分はスタイリングプレートである。
【００５５】
理想的には、第１のスタイリング部分は、半円錐状のスタイリングプレートである。
【００５６】
理想的には、第１のスタイリング部分は、半円錐台状のスタイリングプレートである。
【００５７】
理想的には、第１のスタイリング部分は、第１の細長いアーム及び／又は第２の細長いアームの外面に取り付けられる半円錐台状のスタイリングプレートである。
【００５８】
理想的には、ヘアスタイリング装置の第１の細長いアームは、第２のスタイリング部分を備える。
【００５９】
理想的には、ヘアスタイリング装置の第２の細長いアームは、第２のスタイリング部分を含む。
【００６０】
理想的には、ヘアスタイリング装置の第１の細長いアーム及び第２の細長いアームの双方は、第２のスタイリング部分を備える。
【００６１】
好ましくは、ヘアスタイリング装置は内側スタイリング面を含む。
【００６２】
理想的には、内側スタイリング面は、少なくとも２つの細長い構成要素の相対する面によって画成される。
【００６３】
理想的には、ヘアスタイリング装置の一方又は双方の細長いアームの第２のスタイリング部分は、内側スタイリング面を含む。
【００６４】
理想的には、一方又は双方の細長いアームの内側スタイリング面は、細長いアームの一方又は双方のスタイリング部分のそれぞれの内面を含む。
【００６５】
内面とは、本発明では、ヘアスタイリング装置の細長いアームが互いに向かって枢動して閉位置になると係合する、細長いアームの相互に相対する面を意味する。
【００６６】
理想的には、第１の細長いアームの内面は、第２の細長いアームの内面に形状が対応する。
【００６７】
有利には、第１の細長いアーム及び第２の細長いアームの内面の形状が対応することで、ユーザの髪の毛を２つの細長いアーム間に位置決めするときに、髪の毛の部分がヘアスタイリング装置のそれぞれのアーム間に保持されるまで、２つの細長いアームが互いに向かって枢動すると、髪の毛をクランプして保持できる。さらに有利には、これは、細長いアームの第２のスタイリング部分の形状／プロファイルに応じて、ユーザが複数のスタイルのうちのいずれか１つを得ることにつながることが可能である。これらは、限定はされないが、ストレートヘア、ウェーブヘアを含む。
【００６８】
理想的には、内側スタイリング面はプレートを備える。
【００６９】
理想的には、内側スタイリング面は実質的に平坦なプレートを備える。
【００７０】
代替的には、内側スタイリング面は波状のプレートを備える。
【００７１】
理想的には、内側スタイリング面は、ユーザの髪の毛をプレートの形状に等しいスタイルにスタイリングするような形状のプレートを備える。
【００７２】
理想的には、内側スタイリング面は、それぞれ第１の細長いアーム及び第２の細長いアームの長さに沿って第１のスタイリング部分の幅に比例してテーパ状になる幅のプレートを備える。
【００７３】
理想的には、ヘアスタイリング装置はクランプを備える。
【００７４】
好ましくは、クランプは、第３のスタイリング部分として動作可能である。
【００７５】
好ましくは、クランプは、ユーザがクランプを移動させるように動作可能な作動手段を備える。
【００７６】
理想的には、作動手段は作動レバー又はボタンである。
【００７７】
理想的には、クランプは細長いプレートを備える。
【００７８】
理想的には、クランプは、作動手段及び湾曲したプレートを備える。
【００７９】
好ましくは、作動手段は、湾曲したプレートに動作可能に係合する。
【００８０】
理想的には、作動手段は湾曲したプレートから延在する。
【００８１】
理想的には、作動手段は、ヘアスタイリング装置から或る角度で延在する。
【００８２】
理想的には、作動手段は、湾曲したプレートから或る角度で延在する。
【００８３】
好ましくは、作動手段は、湾曲したプレートから鈍角に延在する。
【００８４】
理想的には、クランプは、ヘアスタイリング装置の細長い構成要素に連結する。
【００８５】
理想的には、クランプは、作動手段と湾曲したプレートとの間の接合部において、ヘアスタイリング装置の細長い構成要素に連結する。
【００８６】
理想的には、クランプは、ヘアスタイリング装置の外側スタイリング面に対して近位のヘアスタイリング装置の細長い構成要素に連結する。
【００８７】
理想的には、クランプは、それぞれの第１のスタイリング部分に対して近位のヘアスタイリング装置の少なくとも２つの細長い構成要素のうちの少なくとも一方に連結する。
【００８８】
理想的には、クランプは、第１のスタイリング部分に対して近位のヘアスタイリング装置の第１の細長いアームに連結する。
【００８９】
理想的には、クランプは、第１のスタイリング部分に対して近位のヘアスタイリング装置の第２の細長いアームに連結する。
【００９０】
理想的には、クランプは、いずれかの細長いアームのそれぞれの第１のスタイリング部分に対して近位で、ヘアスタイリング装置の第１の細長いアーム又は第２の細長いアームのいずれかに連結する。
【００９１】
理想的には、クランプは、ヘアスタイリング装置のハンドルに最も近い、いずれかの細長いアームのそれぞれの第１のスタイリング部分の端に対して近位で、ヘアスタイリング装置の第１の細長いアーム又は第２の細長いアームのいずれかに連結する。
【００９２】
理想的には、クランプは、ヘアスタイリング装置に枢動可能に取り付けられる。
【００９３】
理想的には、クランプは、作動手段と湾曲したプレートとの間の接合部においてヘアスタイリング装置に枢動可能に取り付けられる。
【００９４】
理想的には、クランプは、ヘアスタイリング装置の外側スタイリング面に対して近位でヘアスタイリング装置に枢動可能に取り付けられる。
【００９５】
理想的には、クランプは、それぞれの第１のスタイリング部分に対して近位で、ヘアスタイリング装置の少なくとも２つの細長いアームのうちの少なくとも一方に枢動可能に取り付けられる。
【００９６】
理想的には、クランプは、第１のスタイリング部分に対して近位で、ヘアスタイリング装置の第１の細長いアームに枢動可能に取り付けられる。
【００９７】
理想的には、クランプは、第１のスタイリング部分に対して近位で、ヘアスタイリング装置の第２の細長いアームに枢動可能に取り付けられる。
【００９８】
理想的には、クランプは、いずれかの細長いアームのそれぞれの第１のスタイリング部分に対して近位で、ヘアスタイリング装置の第１の細長いアーム又は第２の細長いアームのいずれかに枢動可能に取り付けられる。
【００９９】
理想的には、クランプは、ヘアスタイリング装置のハンドルに最も近いいずれかの細長いアームのそれぞれの第１のスタイリング部分の端に対して近位で、ヘアスタイリング装置の第１の細長いアーム又は第２の細長いアームのいずれかに枢動可能に取り付けられる。
【０１００】
理想的には、細長いプレートは、形状が、ヘアスタイリング装置の外側スタイリング面に対応する。
【０１０１】
理想的には、細長いプレートは、形状が、一方又は双方の細長いアームの第１のスタイリング部分に対応する。
【０１０２】
理想的には、細長いプレートは、形状が、第１の細長いアーム及び第２の細長いアームの第１のスタイリング部分に対応する。
【０１０３】
理想的には、細長いプレートの内面は、形状が、第１の細長いアーム及び第２の細長いアームの第１のスタイリング部分に対応する。
【０１０４】
理想的には、細長いプレートは、長さが、外側スタイリング面に対応する。
【０１０５】
理想的には、細長いプレートは、長さが、一方又は双方の細長いアームの第１のスタイリング部分に対応する。
【０１０６】
理想的には、細長いプレートは、長さが、第１の細長いアーム及び第２の細長いアームの第１のスタイリング部分に対応する。
【０１０７】
理想的には、細長いプレートは、長さが、外側スタイリング面の長さに対応するか又は僅かに短い。
【０１０８】
理想的には、細長いプレートは、長さが、一方又は双方の細長いアームの第１のスタイリング部分に対応するか又は僅かに短い。
【０１０９】
理想的には、細長いプレートは、長さが、第１の細長いアーム及び第２の細長いアームの第１のスタイリング部分に対応するか又は僅かに短い。
【０１１０】
好ましくは、細長いプレートは半円錐台状のプレートである。
【０１１１】
理想的には、クランプは、付勢手段を介して、ヘアスタイリング装置の少なくとも１つの細長い構成要素に向かって垂直に付勢される。
【０１１２】
理想的には、クランプは、付勢手段を介して、ヘアスタイリング装置の細長いアームに向かって垂直に付勢される。
【０１１３】
代替的には、クランプは、付勢手段を介して、ヘアスタイリング装置の細長いアームから離れるように垂直に付勢される。
【０１１４】
有利には、第１のスタイリングアーム又は第２のスタイリングアームそれぞれの第１のスタイリング部分と同様の形状及び長さであるクランプは、外側スタイリング面の一部と協働し、クランプの細長いプレートの内側に面する面とヘアスタイリング装置の外側スタイリング面との間に挿入されているユーザの髪の毛に圧力を印加する。髪の毛をヘアスタイリング装置のこれらの２つの要素間に挿入することは、作動手段に圧力を印加し、細長いプレートを外側スタイリング面から離すように枢動させ、髪の毛を、外側スタイリング面に沿う所望の位置において外側ヘアスタイリング面の周りに配置するか又は巻き付け、作動手段を解放して、クランプの細長いプレートが外側スタイリング面に向かって付勢されて戻ることを可能にし、髪の毛を外側スタイリング面とクランプの細長いプレートとの間にクランプすることを伴う。
【０１１５】
理想的には、外側スタイリング面は加熱可能である。
【０１１６】
加熱可能であるとは、本発明では、これらのそれぞれのパーツが、所定の温度範囲の最大まで熱を伝導可能であることを意味する。
【０１１７】
理想的には、一方又は双方の細長いアームの第１のスタイリング部分は加熱可能である。
【０１１８】
理想的には、第１の細長いアーム及び／又は第２の細長いアームの第１のスタイリング部分は加熱可能である。
【０１１９】
理想的には、外側スタイリング面は熱伝導性材料から作られる。
【０１２０】
理想的には、一方又は双方の細長いアームの第１のスタイリング部分は熱伝導性材料から作られる。
【０１２１】
理想的には、第１の細長いアーム及び第２の細長いアームの第１のスタイリング部分は熱伝導性材料から作られる。
【０１２２】
理想的には、内側スタイリング面は加熱可能である。
【０１２３】
理想的には、一方又は双方の細長いアームの第２のスタイリング部分は加熱可能である。
【０１２４】
理想的には、第１の細長いアーム及び第２の細長いアームの第２のスタイリング部分は加熱可能である。
【０１２５】
理想的には、内側スタイリング面は熱伝導性材料から作られる。
【０１２６】
理想的には、一方又は双方の細長いアームの第２のスタイリング部分は熱伝導性材料から作られる。
【０１２７】
理想的には、第１の細長いアーム及び第２の細長いアームの第２のスタイリング部分は熱伝導性材料から作られる。
【０１２８】
理想的には、クランプの少なくとも一部は加熱可能である。
【０１２９】
理想的には、クランプの細長いプレートは加熱可能である。
【０１３０】
理想的には、クランプの少なくとも一部は熱伝導性材料から作られる。
【０１３１】
理想的には、クランプの細長いプレートは熱伝導性材料から作られる。
【０１３２】
理想的には、熱伝導性材料は複合材料である。
【０１３３】
理想的には、熱伝導性材料は金属又は合金である。
【０１３４】
理想的には、熱伝導性材料は、アルミニウム、銅若しくはチタン又は任意の他の好適な材料である。
【０１３５】
好ましくは、ヘアスタイリング装置は加熱手段を備える。
【０１３６】
理想的には、電源手段は、加熱手段に動作可能に係合する。
【０１３７】
理想的には、外側及び／若しくは内側スタイリング面並びに／又はクランプは、加熱手段によって加熱される。
【０１３８】
理想的には、加熱手段は電気的な加熱素子を備える。
【０１３９】
理想的には、加熱手段は、コイル等のような内部の電気的な加熱素子を備える。
【０１４０】
理想的には、ヘアスタイリング装置は熱制御手段を備える。
【０１４１】
理想的には、熱制御手段は、加熱手段が１つ又は複数のスタイリング面及び／又はクランプを加熱する温度を制御する。
【０１４２】
理想的には、熱制御手段は、加熱手段が、それぞれの外側及び内側スタイリング面並びにクランプの細長いプレートを、１６０℃〜２５０℃の動作温度まで独立して又は同時に加熱することを可能にする。
【０１４３】
理想的には、熱制御手段は、加熱手段が、それぞれの外側及び内側スタイリング面並びにクランプの細長いプレートを、１７０℃〜２４０℃の動作温度まで独立して又は同時に加熱することを可能にする。
【０１４４】
理想的には、ヘアスタイリング装置はモード選択手段を備える。
【０１４５】
理想的には、モード選択手段は、３つの加熱可能なスタイリング面のうちのどれを加熱するかを決定する手段を備える。
【０１４６】
理想的には、１つの位置において、モード選択手段は、外側スタイリング面を加熱することを可能にする。
【０１４７】
理想的には、別の位置において、モード選択手段は、第１の細長いアームの第１のスタイリング部分を加熱することを可能にする。
【０１４８】
理想的には、別の位置において、モード選択手段は、第２の細長いアームの第１のスタイリング部分を加熱することを可能にする。
【０１４９】
理想的には、１つの位置において、モード選択手段は、第１の細長いアーム及び第２の細長いアームの第１のスタイリング部分を加熱することを可能にする。
【０１５０】
理想的には、１つの位置において、モード選択手段は、外側スタイリング面及びクランプの細長いプレートを加熱することを可能にする。
【０１５１】
理想的には、別の位置において、モード選択手段は、第１の細長いアームの第１のスタイリング部分及びクランプの細長いプレートを加熱することを可能にする。
【０１５２】
理想的には、別の位置において、モード選択手段は、第２の細長いアームの第１のスタイリング部分及びクランプの細長いプレートを加熱することを可能にする。
【０１５３】
理想的には、１つの位置において、モード選択手段は、第１の細長いアーム及び第２の細長いアームの第１のスタイリング部分並びにクランプの細長いプレートを加熱することを可能にする。
【０１５４】
理想的には、１つの位置において、モード選択手段は、内側スタイリング面の一方又は双方を加熱することを可能にする。
【０１５５】
理想的には、別の位置において、モード選択手段は、第１の細長いアームの第２のスタイリング部分を加熱することを可能にする。
【０１５６】
理想的には、別の位置において、モード選択手段は、第２の細長いアームの第２のスタイリング部分を加熱することを可能にする。
【０１５７】
理想的には、１つの位置において、モード選択手段は、第１の細長いアーム及び第２の細長いアームの第２のスタイリング部分を加熱することを可能にする。
【０１５８】
好ましくは、ハンドルは、スタイリング部分からヘアスタイリング装置の一端まで延在する。
【０１５９】
理想的には、ハンドルは、スタイリング部分から、ヘアスタイリング装置のスタイリング部分に対して遠位の、ヘアスタイリング装置の端まで延在する。
【０１６０】
理想的には、ハンドルは断熱材料から作られる。
【０１６１】
理想的には、作動手段は断熱材料から作られる。
【０１６２】
理想的には、断熱材料はプラスチック又は複合断熱材料である。
【０１６３】
好ましくは、ヘアスタイリング装置は、最も好ましくは、電源手段は、少なくとも１つのバッテリを備える。
【０１６４】
理想的には、少なくとも１つのバッテリは、ヘアスタイリング装置の加熱手段及び熱制御手段に給電する。
【０１６５】
理想的には、少なくとも１つのバッテリは充電式である。
【０１６６】
好ましくは、ヘアスタイリング装置は、最も好ましくは、電源手段は、充電手段を備える。
【０１６７】
好ましくは、充電手段は少なくとも１つの充電ポートを備える。
【０１６８】
好ましくは、充電手段は少なくとも１つの充電アダプタを備える。
【０１６９】
充電アダプタとは、本発明では、電荷を、外部の電源から充電ポートを介してヘアスタイリング装置のバッテリに移動可能な任意の装置を意味する。
【０１７０】
理想的には、充電ポートは、充電手段を受け入れて電源からバッテリを充電可能である。
【０１７１】
理想的には、ヘアスタイリング装置は、細長い構成要素を離れるように付勢する細長い構成要素の付勢手段を備える。
【０１７２】
理想的には、ヘアスタイリング装置は、第１の細長いアーム及び第２の細長いアームを離れるように付勢する細長い構成要素の付勢手段を備える。
【０１７３】
理想的には、細長い構成要素の付勢手段は、第１の細長いアームと第２の細長いアームとの間のジョイントに若しくはジョイント付近に位置付けられるか、又は、ジョイントの一部を形成する。
【０１７４】
有利には、使用時に、ユーザは、２つの細長いアームを、付勢手段の付勢力に抗して一緒に押圧できる。ユーザがアームを解放すると、細長い構成要素の付勢手段は、アームを強制的に離し、いずれの髪の毛も２つの細長いアーム間から解放する。
【０１７５】
理想的には、細長い構成要素の付勢手段は、ばね、最も好ましくはねじりばねを含む。
【０１７６】
理想的には、ヘアスタイリング装置は、細長い構成要素を一緒にロックするように動作可能なロックを備える。
【０１７７】
好ましくは、ロックは、細長い構成要素を、細長い構成要素の付勢手段の力に抗して一緒にロックするように動作可能である。
【０１７８】
好ましくは、ロックは、第１の細長いアーム及び第２の細長いアームを一緒にロックするように動作可能である。
【０１７９】
有利には、ロックは、起動されると、２つの細長いアームを一緒に保持し、ヘアスタイリング装置をカールワンドとして容易に使用できる。
【０１８０】
一実施形態では、ロックはジョイントの近位に位置付けられる。
【０１８１】
理想的には、ロックはハンドルに又はハンドルの周りに位置付けられる。
【０１８２】
好ましくは、ロックは、スタイリング部分の遠位のハンドルの端部分に又は端部分の周りに位置付けられる。
【０１８３】
代替的には、ロックは、ハンドルの１つの長尺の側に沿って位置付けられる。
【０１８４】
理想的には、ロックは、細長い構成要素に沿って概ね中間に位置付けられる。
【０１８５】
有利には、動作時に、ヘアスタイリング装置の長尺の側に沿うロックの位置は、装置のいずれかの端部に位置付けられるロックよりも確実なロックを提供する。
【０１８６】
好ましくは、細長い構成要素は、ロックを収容する凹部を備える。
【０１８７】
理想的には、ロックは、細長い構成要素から突出することによって、ユーザによって係合可能である。
【０１８８】
好ましくは、ロック及び細長い構成要素は、細長い構成要素が離されると、ロックを細長い構成要素内に押し込み可能であるように配置される。
【０１８９】
理想的には、ロックは、ロック解除位置からロック位置までの間で移動可能なキャッチを備える。
【０１９０】
理想的には、ロックはボタンを備え、最も好ましくは、キャッチをロック解除位置とロック位置との間で移動させるようにキャッチに動作可能に係合するスライドボタンを備える。
【０１９１】
好ましくは、ロック解除位置では、キャッチは凹部内に位置付けられ、ロック位置では、キャッチは凹部から延在する。
【０１９２】
理想的には、ロックは、モード選択手段に動作可能に係合することによって、ロックを動作させることでモード選択手段も動作させる。
【０１９３】
好ましくは、ロックボタン及びモード選択手段は単一の構成要素として形成される。
【０１９４】
好ましくは、ロックがロック解除位置にあるとき、モード選択手段は、第１の細長いアーム及び／又は第２の細長いアームの第１のスタイリング部分を加熱することを可能にする。
【０１９５】
理想的には、ロックがロック位置にあるとき、モード選択手段は、外側スタイリング面を加熱することを可能にする。
【０１９６】
好ましくは、ロックがロック位置にあるとき、モード選択手段は、クランプの少なくとも一部を加熱することを可能にする。
【０１９７】
ここで、本発明を、本発明による装置の３つの実施形態のみを例として示す添付の図面を参照して記載する。
【図面の簡単な説明】
【０１９８】
【図１】ヘアスタイリング装置の第１の実施形態の、一方の側からの斜視図である。
【図２】ヘアスタイリング装置の他方の側からの斜視図である。
【図３】クランプが延在位置にある状態の、ヘアスタイリング装置の側面図である。
【図４】第１の細長いアーム及び第２の細長いアームが延在位置にあり、クランプが閉位置にある状態の、ヘアスタイリング装置の、一方の側からの斜視図である。
【図５】第１の細長いアーム及び第２の細長いアームが延在位置にあり、クランプが閉位置にある状態の、ヘアスタイリング装置の、他方の側からの斜視図である。
【図６】第１の細長いアーム及び第２の細長いアームが延在位置にあり、クランプが閉位置にある状態の、ヘアスタイリング装置の側面図である。
【図７】第１の細長いアーム及び第２の細長いアームが延在位置にあり、クランプが延在位置にある状態の、ヘアスタイリング装置の側面図である。
【図８】第１の細長いアーム及び第２の細長いアームが延在位置にあり、クランプが延在位置にある状態の、ヘアスタイリング装置の斜視図である。
【図９】本発明による、ヘアスタイリング装置の第２の実施形態の側面図である。
【図１０】ヘアスタイリング装置の第２の実施形態の上面図である。
【図１１】ヘアスタイリング装置の第２の実施形態の後面図である。
【図１２】ヘアスタイリング装置の第２の実施形態の側面斜視図である。
【図１３】ヘアスタイリング装置の第２の実施形態の代替的な側面斜視図である。
【図１４】クランプが延在位置にある、ヘアスタイリング装置の第２の実施形態の側面斜視図である。
【図１５】クランプが延在位置にある、ヘアスタイリング装置の第２の実施形態の代替的な側面斜視図である。
【図１６】第１の細長いアーム及び第２の細長いアームが延在位置にあり、クランプが閉位置にある、ヘアスタイリング装置の第２の実施形態の側面斜視図である。
【図１７】第１の細長いアーム及び第２の細長いアームが延在位置にあり、クランプが閉位置にある、ヘアスタイリング装置の第２の実施形態の代替的な側面斜視図である。
【図１８】第１の細長いアーム及び第２の細長いアームが延在位置にあり、クランプが延在位置にある、ヘアスタイリング装置の第２の実施形態の側面斜視図である。
【図１９】第１の細長いアーム及び第２の細長いアームが延在位置にあり、クランプが延在位置にある、ヘアスタイリング装置の第２の実施形態の代替的な側面斜視図である。
【図２０】本発明によるヘアスタイリング装置の第３の実施形態の後面斜視図であり、装置は、ロック解除位置にあるロックを有する。
【図２１】図２０において示されているヘアスタイリング装置の拡大側面図である。
【図２２】ロック位置にあるロックを示す、図２０のヘアスタイリング装置の代替的な後面斜視図である。
【図２３】図２２において示されているヘアスタイリング装置の拡大側面図である。
【発明を実施するための形態】
【０１９９】
図１〜図８には、髪の毛を種々のやり方でスタイリングするための複数のスタイリングモードを有する、参照符号１によって全体的に示されているヘアスタイリング装置の第１の実施形態が示されている。
装置１は、ジョイント３の周りに枢動可能に連結されている２つの細長い構成要素２を有する。ジョイント３は、２つの細長い構成要素２をそれらの端の周りで接続し、ジョイントはヒンジジョイント３である。２つの細長い構成要素２は、延在位置と閉位置との間で、ジョイント３の周りで枢動移動可能である。各細長い構成要素２は、スタイリング部分４、５及びハンドル６を有する。クランプ７が、２つの細長い構成要素２のうちの一方に連結されている。クランプ７は、第１の開位置（図１〜図３並びに図７及び図８を参照のこと）と第２の閉位置（図４〜図６を参照のこと）との間で移動可能である。装置は、モード制御機構９、温度制御機構１０及び電源（図示せず）を有する。電源は、一方又は双方の細長いアーム２内に収容されている。
【０２００】
細長い構成要素２は、概ね同様のサイズ及び寸法である。スタイリング部分４、５は、細長い構成要素２の、ジョイント３に対して遠位の一端に対して近位で細長い構成要素２の一部に沿って位置付けられている。ハンドル６は、ジョイント３に対して近位で細長い構成要素２の一部に沿って位置付けられている。ハンドル６は、細長い構成要素２の、スタイリング部分４、５に対して反対の端に近位の細長い構成要素２の一部に沿って位置付けられている。スタイリング部分４、５は、細長い構成要素２の長さのおよそ半分に沿って、中央から、細長い構成要素の、ジョイント３に対して遠位の一端まで位置付けられている。スタイリング部分４、５は、細長い構成要素２の長さのおよそ半分に沿って、中央から、細長い構成要素２の、ハンドル６に対して反対の端まで位置付けられている。
２つの細長い構成要素２は、第１の細長いアーム２１及び第２の細長いアーム２２を備える。第１の細長いアーム２１は、第１のスタイリング部分４及び第２のスタイリング部分５を有する。第１の細長いアーム２１はハンドル６を有する。第２の細長いアーム２２は、第１のスタイリング部分４及び第２のスタイリング部分５並びにハンドル６を有する。第１の細長いアーム２１の第１のスタイリング部分４は、第２の細長いアーム２２の第１のスタイリング部分４に対応して位置付けられており、第１の細長いアーム２１の第２のスタイリング部分５は、第２の細長いアーム２２の第２のスタイリング部分５に対応して位置付けられている。第１の細長いアーム２１のハンドル６は、第２の細長いアーム２１のハンドル６に対応して位置付けられている。
【０２０１】
対応して位置付けられているとは、本発明では、それぞれのスタイリング部分４及び５並びにハンドル６が、他方の細長い構成要素２のそれぞれのスタイリング部分４及び５並びにハンドル６の位置の鏡像になるように、それぞれの細長い構成要素２に沿って位置付けられ、各それぞれのスタイリング部分及び５並びにハンドル６が使用時にその相手方と協働することを可能にすることを意味する。
【０２０２】
第１の細長いアーム２１の第１のスタイリング部分４は外面である。外面とは、本発明では、第１の細長いアーム２１及び第２の細長いアーム２２が閉位置（図１〜図３を参照のこと）においてヒンジ／ジョイント３の周りで一緒に枢動可能に連結されるときに、ヘアスタイリング装置１の他方の細長いアーム２１、２２に対する各それぞれの細長いアーム２１、２２の外側に面する面４を意味する。第２の細長いアーム２２の第１のスタイリング部分４も外面である。
第１の細長いアーム２１の第１のスタイリング部分４及び第２の細長いアーム２２の第１のスタイリング部分４は、ヒンジ／ジョイント３の周りで枢動可能に係合して閉位置になると組み合わせられ、外側スタイリング面を含む。外側スタイリング面とは、本発明では、組み合わせた第１の細長いアーム２１及び第２の細長いアーム２２の外面の組み合わせられた外側面、すなわち、第１の細長いアーム２１及び第２の細長いアーム２２がヒンジ／ジョイント３の周りで互いに枢動可能に係合して閉位置になるときの、他方の細長いアーム２１、２２と接触しないスタイリング部分４を意味する。枢動係合とは、本発明では、細長いアーム２のそれぞれが、それらの接続枢動点３を中心に互いに向かって、それらの相互に相対する内面５がユーザによる力の印加時に係合する程度まで移動することを意味する。
【０２０３】
外側スタイリング面は、第１の細長いアーム２１の第１のスタイリング部分４及び第２の細長いアーム２２の第１のスタイリング部分４を含む。外側スタイリング面は、それぞれの細長いアームがヒンジ／ジョイント３の周りで枢動可能に係合して閉位置になるときの、第１の細長いアーム２１の第１のスタイリング部分４及び第２の細長いアーム２２の第１のスタイリング部分４を含む。
【０２０４】
スタイリング部分４の断面積は、その長さに沿ってテーパ状になっている。スタイリング部分４の断面積は、その長さに沿って、ヘアスタイリング装置１の、ヒンジ／ジョイント３に対して遠位の一端における位置までテーパ状になっている。スタイリング部分４の断面積は、第１の細長いアーム２１及び第２の細長いアーム２２がヒンジ／ジョイント３の周りで枢動可能に係合して閉位置になると、その長さに沿って、ヘアスタイリング装置の、ヒンジ／ジョイント３に対して遠位の一端における位置までテーパ状になっている。
外側スタイリング面の断面積は、その長さに沿ってテーパ状になっている。外側スタイリング面の断面積は、ヘアスタイリング装置１の長さに沿って、ヘアスタイリング装置１の、ヒンジ／ジョイント３に対して遠位の一端における位置までテーパ状になっている。外側スタイリング面の断面積は、第１の細長いアーム２１及び第２の細長いアーム２２がヒンジ／ジョイント３の周りで枢動可能に係合して閉位置になると、ヘアスタイリング装置１の長さに沿って、ヘアスタイリング装置１の、ヒンジ／ジョイント３に対して遠位の一端における位置までテーパ状になっている。
【０２０５】
第１の細長いアーム２１の第１のスタイリング部分４は半円錐状である。第２の細長いアーム２２の第１のスタイリング部分４も半円錐状である。外側スタイリング面は形状が全体的に円錐状である。有利には、第１のアーム２１及び第２のアーム２２の第１のスタイリング部分４を半円錐状にするとは、第１のアーム２１及び第２のアーム２２が、互いに係合すると、組み合わせられて円錐形状を形成することを意味する。
円錐状の外側スタイリング面は、ユーザに、必要に応じて自身の髪の毛の直径方向に縮小又は増大するカールを作り出すことが可能である。第１の細長いアーム２１の第１のスタイリング部分４は半円錐台状であり、第２の細長いアーム２２の第１のスタイリング部分４は半円錐台状である。第１の細長いアーム２１及び第２の細長いアーム２２の第１のスタイリング部分４は、ヒンジ／ジョイント３の周りで互いに係合すると、ヘアスタイリング装置１の全体的に円錐形状の外側スタイリング面を形成する半円錐台状である。
【０２０６】
有利には、第１のアーム２１及び第２のアーム２２の第１のスタイリング部分４を半円錐台状にするとは、第１のアーム２１及び第２のアーム２２が互いに係合すると、組み合わせられて円錐台形状を形成することを意味し、外側スタイリング面は、ユーザに、必要に応じて自身の髪の毛の直径方向に縮小又は増大するカールを作り出すことが可能である。
【０２０７】
第１のスタイリング部分４はスタイリングプレート４である。第１のスタイリング部分４は、半円錐状のスタイリングプレート４である。第１のスタイリング部分４は、第２の細長いアーム２２の外側面に取り付けられる半円錐台状のスタイリングプレート４である。
【０２０８】
ヘアスタイリング装置１の第１の細長いアーム２１は、第２のスタイリング部分５を有し、ヘアスタイリング装置１の第２の細長いアーム２２も第２のスタイリング部分５を有する。ヘアスタイリング装置の第１の細長いアーム２１及び第２の細長いアーム２２の双方は、同じ第２のスタイリング部分５を有する。
ヘアスタイリング装置１の双方の細長いアーム２１、２２の第２のスタイリング部分５は、内側スタイリング面２５を有する。双方の細長いアーム２１、２２の内側スタイリング面２５は、細長いアーム２１、２２の双方のスタイリング部分５のそれぞれの内側面によって提供される。内側面とは、本発明では、ヘアスタイリング装置１の細長いアーム２１、２２がヒンジ／ジョイント３の周りで互いに向かって枢動して閉位置になると係合する、細長いアーム２１、２２の相互に相対する面を意味する。第１の細長いアーム２１の内側スタイリング面２５は、形状が、第２の細長いアーム２２の内側スタイリング面２５に対応する。
【０２０９】
有利には、第１の細長いアーム２１及び第２の細長いアーム２２の内面の形状が対応することで、ユーザの髪の毛を２つの細長いアーム２１、２２間に位置決めすると、髪の毛の部分がヘアスタイリング装置１のそれぞれのアーム２１、２２間に保持されるまで２つの細長いアーム２１、２２が互いに向かって枢動するにつれて、髪の毛をクランプして保持できる。さらに有利には、これは、ユーザが、細長いアーム２１、２２の第２のスタイリング部分５の形状／プロファイルに応じて複数のスタイルのうちのいずれか１つを得ることにつながり得る。これらは、限定はされないが、ストレートヘア、ウェーブヘアを含む。
【０２１０】
図面に示されている実施形態では、内側スタイリング面２５は、実質的に平坦なプレート２５によって提供される。図面に示されていない代替的な実施形態では、内側スタイリング面２５は、プレートの形状に等しいスタイルにユーザの髪の毛をスタイリングするように、波状のプレート又は形状付きのプレートを有することが可能である。
【０２１１】
内側スタイリング面プレート２５の幅は、第１の細長いアーム及び第２の細長いアームの幅にそれぞれ比例してテーパ状になっている。
【０２１２】
ヘアスタイリング装置１はクランプ７も有する。クランプ７は、作動レバー３１及び細長い湾曲したプレート３２を有する。作動レバー３１は、ヘアスタイリング装置１から鋭角に延在し、作動レバー３１は湾曲したプレート３２から鈍角に延在する。クランプ７は、作動レバー３１と湾曲したプレート３２との間の接合部においてヘアスタイリング装置１に連結する。
クランプ７は、ヘアスタイリング装置１の外側スタイリング面に対して近位でヘアスタイリング装置１に連結する。図示の実施形態では、クランプ７は、第２の細長いアーム２２の長さに沿う第１のスタイリング部分４の端に対して近位でヘアスタイリング装置１の第２の細長いアーム２２に連結する。クランプ７は、作動レバー３１と湾曲したプレート３２との間の接合部においてヘアスタイリング装置１に枢動可能に取り付けられる。クランプ７は、ヘアスタイリング装置１の外側スタイリング面に対して近位でヘアスタイリング装置１に枢動可能に取り付けられる。
クランプ７は、第２の細長いアーム２２の長さに沿う第１のスタイリング部分４の端に対して近位でヘアスタイリング装置１の第２の細長いアーム２２に枢動可能に取り付けられる。クランプ７は、ヘアスタイリング装置１のハンドル６に最も近い細長いアーム２２の対応する第１のスタイリング部分４の端に対して近位でヘアスタイリング装置１の第２の細長いアーム２２に枢動可能に取り付けられる。
【０２１３】
細長いプレート３２は、形状が、ヘアスタイリング装置１の外側スタイリング面に対応する。クランプ７の細長いプレート３２は、形状が、双方の細長いアーム２１、２２の第１のスタイリング部分４に対応する。クランプ７の細長いプレート３２の内面は、形状が、第１の細長いアーム２１及び第２の細長いアーム２２の第１のスタイリング部分４に対応する。細長いプレート３２は、長さが、外側スタイリング面の長さ、及び、双方の細長いアーム２１、２２の第１のスタイリング部分４の長さに対応する。細長いプレート３２は、長さが、外側スタイリング面の長さに対応するか又は僅かに短く、長さが、双方の細長いアームの第１のスタイリング部分４に対して僅かに短い。
細長いプレート３２は半分円錐台状のプレートである。クランプ７は、ばね（図示せず）等の付勢機構を介して、ヘアスタイリング装置１の細長いアーム２２に向かって垂直に付勢される。代替的には、クランプ７は、付勢機構を介して、ヘアスタイリング装置１の細長いアーム２２から離れるように垂直に付勢される。
【０２１４】
有利には、第１のスタイリングアーム又は第２のスタイリングアームの第１のスタイリング部分と形状及び長さがそれぞれ同様であるクランプ７は、外側スタイリング面の一部と協働し、クランプ７の細長いプレート３２の内側に面する面とヘアスタイリング装置１の外側スタイリング面との間に挿入されているユーザの髪の毛に圧力を印加する。髪の毛をヘアスタイリング装置１のこれらの２つの要素間に挿入することは、圧力を作動レバー３１に印加して細長いプレート３２を外側スタイリング面から離れるように枢動させ、髪の毛を外側スタイリング面に沿う所望の位置において外側ヘアスタイリング面の周りに配置するか又は巻き付け、作動レバー３１を解放して、クランプ７の細長いプレート３２が外側スタイリング面に向かって付勢して戻り、髪の毛を外側スタイリング面とクランプ７の細長いプレート３２との間にクランプすることを可能にすることを伴う。
【０２１５】
外側スタイリング面は加熱可能である。加熱可能であるとは、本発明では、これらのそれぞれのパーツが、所定の温度範囲の最大まで熱を伝導可能であることを意味する。一方又は双方の細長いアーム２１、２２の第１のスタイリング部分４は加熱可能である。外側スタイリング面は熱伝導性材料から作られる。一方又は双方の細長いアーム２１、２２の第１のスタイリング部分４は熱伝導性材料から作られる。第１の細長いアーム及び第２の細長いアームの第１のスタイリング部分４は熱伝導性材料から作られる。内側スタイリング面２５は加熱可能である。一方又は双方の細長いアーム２１、２２の第２のスタイリング部分５は加熱可能である。一方又は双方の細長いアームの第２のスタイリング部分は熱伝導性材料から作られる。
クランプ７の少なくとも一部は加熱可能である。クランプ７の細長いプレート３２は加熱可能である。クランプ７の少なくとも一部は熱伝導性材料から作られる。クランプ７の細長いプレート３２は熱伝導性材料から作られる。熱伝導性材料は複合材料であるか、又は、熱伝導性材料は金属若しくは合金である。熱伝導性材料は、銅若しくはチタン又は任意の他の好適な材料である。外側及び／若しくは内側スタイリング面並びに／又は細長いクランプ７は、加熱機構によって加熱される。加熱機構は、電気的な加熱素子（図示せず）を備える。
【０２１６】
加熱機構は、コイル等のような内部の電気的な加熱素子を有する。ヘアスタイリング装置１は熱制御機構４１を有する。熱制御機構は、加熱機構が１つ又は複数のスタイリング面及び／又はクランプ７を加熱する温度を制御する。熱制御機構４１は、加熱機構が、それぞれの外側及び内側スタイリング面並びにクランプ７の細長いプレート３２を、１６０℃〜２５０℃の動作温度まで、より好ましくは、１７０℃〜２４０℃の動作温度まで独立して加熱することを可能にする。
【０２１７】
ヘアスタイリング装置はモード選択機構４２を含む。モード選択機構４２は、３つの加熱可能なスタイリング面のうちのどれを加熱するかを決定する手段を有する。１つの位置において、モード選択機構４２は外側スタイリング面を加熱することを可能にする。別の位置において、モード選択機構４２は、内側スタイリング面５、２５のうちの一方又は双方を加熱することを可能にする。クランプ７は、外側スタイリング面の加熱による伝導を介して加熱する。
【０２１８】
ハンドル６は、スタイリング部分から、ヘアスタイリング装置１の、ヒンジ／ジョイント３に対して近位の他端まで延在する。ハンドル６は、スタイリング部分から、ヘアスタイリング装置１の、ヘアスタイリング装置のスタイリング部分に対して遠位の端まで延在する。ハンドル６は断熱材料から作られる。作動レバー３１は断熱材料から作られる。断熱材料はプラスチック又は複合断熱材料である。
【０２１９】
ヘアスタイリング装置１は少なくとも１つのバッテリを有する。少なくとも１つのバッテリは、ヘアスタイリング装置１の加熱機構及び熱制御機構に給電する。少なくとも１つのバッテリは充電式である。ヘアスタイリング装置１は充電手段を有する。充電手段は、少なくとも１つの充電ポート及び少なくとも１つの充電アダプタを備える。充電アダプタとは、本発明では、電荷を、外部の電源から充電ポートを介してヘアスタイリング装置のバッテリに移動可能な任意の装置を意味する。充電ポートは、充電手段を受け入れて電源からバッテリを充電可能である。
【０２２０】
図９〜図１９には、全体的に参照符号１０１によって示されている、本発明によるヘアスタイリング装置の第２の実施形態が示されている。
ヘアスタイリング装置１０１は、第１の細長いアーム１２１及び第２の細長いアーム１２２を有する。第１の細長いアーム１２１及び第２の細長いアーム１２２は、ヒンジジョイント３を介して枢動可能に接続されている。各細長いアーム１２１、１２２は、第１のスタイリング部分１０４、第２のスタイリング部分１０５及びハンドル１０６を有する。各細長いアーム１２１、１２２の第１のスタイリング部分１０４は、図９〜図１５において示されているように、相互に相対し、近づくように配置されている。各細長いアーム１２１、１２２の第２のスタイリング部分１０５は外側スタイリング面を形成する。
ヒンジジョイント１０３は、ハンドルの、スタイリング部分１０４、１０５に対して遠位の端に近位で各細長いアーム１２１、１２２のハンドル１０６間に位置付けられている。細長いアーム１２１、１２２がヒンジジョイント１０３の周りで枢動すると、各細長いアーム１２１、１２２のハンドル１０６及びスタイリング部分１０４は離れる。ヘアスタイリング装置１０１は、第２の細長いアーム１２２の第２のスタイリング部分１０５に枢動可能に配置されるクランプ１０７をさらに有する。各細長いアーム１２１、１２２について、ハンドル１０６は、ハンドル１０６の外周の周りに延在する隆起した突起１５０を有する。
【０２２１】
第２の実施形態のクランプ１０７のアクチュエータ１３１は、第２の細長いアーム１２２の表面から突出するボタン１５１として形成される。ボタン１５１は、隆起した突起１５０に沿って中央に位置付けられて隆起した突起１５０を通って延在する。ボタン１５１は、クランプ１０７の細長いプレート１３２の一部と同一平面上にある第１の係合部分１５２、及び、第１の係合部分１５２から鈍角に延在する第２の係合部分１５３を有する。
第２の係合部分１５３は、第１の係合部分１５２とクランプ１０７の細長いプレート１３２との間に位置付けられている。これによって、ユーザの親指を受け入れるようなサイズの、第１の係合部分１５２と第２の係合部分１５３との間の窪みを形成する。ボタン１５１は、同一平面上にある第１の係合部分１５２を下方に、すなわちハンドル１０６に向かって押圧することで、細長いプレート１３２がスタイリング部分１０５から離れ、ハンドル１０６とスタイリング部分１０５との間の位置において枢動するように、細長いプレート１３２とともに配置される。
【０２２２】
ヘアスタイリング装置１０１は、充電式バッテリ（図示せず）に充電するための充電リードを受け入れできる充電ポート１５５をさらに有する。ヘアスタイリング装置１０１は、オン／オフスイッチ１５６、及び、充電式バッテリの充電レベルを示すように動作可能である一連の４つの電子ライト１５７をさらに有する。オン／オフスイッチ１５６及び４つの電子ライト１５７は、クランプ１０７を操作するためのボタン１５１の近位の第２の細長いアーム１２２に配置される。
【０２２３】
ヒンジジョイント１０３は、第１の細長いアーム１２１及び第２の細長いアーム１２２を付勢して離すねじりばね（図示せず）を有する。ヘアスタイリング装置１０１は、ねじりばねに対して近位に、ヒンジジョイント１０３の後ろに位置付けられるロックスイッチ１６０をさらに有する。ロックスイッチ１６０は、第１の細長いアーム１２１を、ねじりばねの力に抗して第２の細長いアーム１２２にロックするように動作させることが可能である。これは、ユーザが、２つの細長いアーム１２１、１２２を望まずに離すことなく、ヘアスタイリング装置１０１をカールワンドとして操作可能であることを可能にする。
【０２２４】
使用時には、ユーザの髪の毛を第１の細長いアーム１２１と第２の細長いアーム１２２との間で押圧するために、ユーザは、自身の髪の毛を、２つのアーム１２１、１２２間で第１のスタイリング部分１０４に接触して配置し、ハンドル１０６を使用して、アーム１２１、１２２をねじりばねの付勢力に抗して互いに向かって移動させる。ユーザは、アーム１２１、１２２を一緒に所望の時間の長さにわたって保持する。解放時に、ねじりばねは細長いアーム１２１、１２２を離し、髪の毛を解放する。ユーザは次に、自身の髪の毛の異なる部分についてこの動作を繰り返し、所望のスタイルを作り出すことが可能である。
【０２２５】
ヘアスタイリング装置１０１をカールデバイスとして使用するためには、ユーザは、２つの細長いアーム１２１、１２２を一緒に移動させ、ロックスイッチ１６０を動作させてアームを一緒にロックする。次に、ユーザは、ボタン１５１を操作し、クランプ１０７を第２の細長いアーム１２２の第２のスタイリング面１０５から離すように持ち上げできる。ユーザは次に、自身の髪の毛を半円錐台状の第２のスタイリング面１０５の周りに巻き付けでき、ボタン１５１を操作してクランプをユーザの髪の毛及び第２のスタイリング面１０５に対して下に移動させ、所望の時間にわたって保持できる。
ユーザは次に、ボタン１５１を再び操作して自身の髪の毛を解放でき、所望のスタイルが達成されるまで、自身の髪の毛の異なるセクションにその動作を繰り返し可能である。代替的には、外側スタイリング面のみによって提供されるよりも大きいカールを有することが望ましい場合、ユーザは、クランプ１０７が外側スタイリング面に当接しているときに、自身の髪の毛を、クランプ１０７を含むデバイスのスタイリング部分の全ての周りに単に巻き付けできる。
【０２２６】
図２０〜図２３における図には、参照符号２０１によって全体的に示されている本発明によるヘアスタイリング装置の第３の実施形態が示されている。
装置２０１のロック２６０は、ヘアスタイリング装置２０１のハンドル２０６の長さに沿って位置付けられており、第１の細長いアーム２２１に位置付けられているスライドボタン２７０から操作可能である。第１の細長いアーム２２１は、キャッチ２７２を収容する凹部２７１を有する。キャッチ２７２は、スライドボタン２７０に動作可能に係合し、ボタン２７０がスタイリング部分２０４に向かって移動すると、枢動して凹部２７１から外れる。第２の細長いアーム２２２には、キャッチ２７２を受け入れることによってアーム２２１、２２２を一緒にロックする対応する凹部（図示せず）が位置付けられている。キャッチ２７２はフック形状であり、対応する凹部は、フックを受け入れる形状である。任意の好適な解放可能なロック機構を使用でき、これらが本発明の範囲内にあることは明らかである。
ロック２６０はラックアンドピニオン機構（図示せず）である。スライドボタン２７０はピニオンに係合し、ハンドル２０６に沿って摺動されると、ピニオンを対応して移動させる。キャッチ２７２はピニオンに係合し、移動されるとラックによって回転されて凹部２７１から出る。アーム２２１、２２２をロック解除するには、ユーザは、ボタン２７０をスタイリング部分２０４から離すように摺動させることが可能である。キャッチ２７２は、凹部２７１内に後退し、アーム２２１、２２２を解放する。
【０２２７】
本発明の異なる実施形態の詳細な記載に関して、１つの実施形態の１つ又は複数の技術的な効果を、任意の他の実施形態の１つ又は複数の技術的な特徴と組み合わせて使用できることが理解される。この場合、１つ又は複数の技術的な特徴の移行された使用は、同様の機能を他の実施形態において同様の方法で行うために当業者には即座に明らかになる。
【０２２８】
本発明の先行する説明において、反対であることが記載されない限り、或るパラメータの可能な範囲の上限又は下限についての代替的な値の開示は、上記値のうちの１つが他の値よりもかなり好ましいという指示と合わせて、上記代替的な値のより好ましいものとあまり好ましくないものとの間にある、上記パラメータの各中間値が、それ自体、上記あまり好ましくない値よりも好ましく、上記あまり好ましくない値と上記中間値との間にある各値よりも好ましいことを示唆する記述として解釈されるべきである。
【０２２９】
それらの特定の形態で又は開示される機能を行う手段に関して表現される、先行する記載若しくは以下の図面において開示されている特徴、又は、開示の結果を達成する方法若しくはプロセスは、必要に応じて、本発明をその多様な形態において実現するために、別個に又はそのような特徴の任意の組み合わせで使用できる。
【図１】
2021512750.tif 000003
【図２】
2021512750.tif 000004
【図３】
2021512750.tif 000005
【図４】
2021512750.tif 000006
【図５】
2021512750.tif 000007
【図６】
2021512750.tif 000008
【図７】
2021512750.tif 000009
【図８】
2021512750.tif 000010
【図９】
2021512750.tif 000011
【図１０】
2021512750.tif 000012
【図１１】
2021512750.tif 000013
【図１２】
2021512750.tif 000014
【図１３】
2021512750.tif 000015
【図１４】
2021512750.tif 000016
【図１５】
2021512750.tif 000017
【図１６】
2021512750.tif 000018
【図１７】
2021512750.tif 000019
【図１８】
2021512750.tif 000020
【図１９】
2021512750.tif 000021
【図２０】
2021512750.tif 000022
【図２１】
2021512750.tif 000023
【図２２】
2021512750.tif 000024
【図２３】
2021512750.tif 000025
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
髪の毛を種々なファッションにスタイリングするための複数のモードを有するヘアスタイリング装置であって、
ジョイントの周りに枢動可能に連結されている少なくとも２つの細長い構成要素であって、該少なくとも２つの細長い構成要素は、前記ジョイントの周りで延在位置と閉位置との間で枢動移動可能である、少なくとも２つの細長い構成要素を備え、
各細長い構成要素はスタイリング部分及びハンドルを備え、
前記スタイリング部分は、前記細長い構成要素の一端に対して近位で前記細長い構成要素の一部に沿って位置決め可能であり、
前記ハンドルは、前記細長い構成要素の、前記スタイリング部分に対して反対の端に近位で前記細長い構成要素の一部に沿って位置決め可能であり、
前記少なくとも２つの細長い構成要素間の前記ジョイントは、前記ハンドルの、前記スタイリング部分に対して遠位の端に対して近位に位置付けられ、
前記スタイリング部分の断面積は、その長さの全体に沿ってテーパ状になっており、
前記少なくとも２つの細長い構成要素のいずれかに連結可能なクランプであって、該クランプは、いずれかの細長い構成要素に連結されると、第１の開位置と第２の閉位置との間で移動可能である、クランプ、及び、
電源手段、を備える、
ヘアスタイリング装置。
【請求項２】
前記少なくとも２つの細長い構成要素は、第１の細長いアーム及び第２の細長いアームを備え、前記第１の細長いアーム及び前記第２の細長いアームは、第１のスタイリング部分、第２のスタイリング部分及びハンドルをそれぞれ備え、前記第１の細長いアームの前記第１のスタイリング部分は、前記第２の細長いアームの前記第１のスタイリング部分に対応して位置付けられ、前記第１の細長いアームの前記第２のスタイリング部分は、前記第２の細長いアームの前記第２のスタイリング部分に対応して位置付けられ、前記第１の細長いアームの前記ハンドルは、前記第２の細長いアームの前記ハンドルに対応して位置付けられることを特徴とする、請求項１に記載のヘアスタイリング装置。
【請求項３】
前記第１の細長いアームの前記第１のスタイリング部分及び前記第２の細長いアームの前記第１のスタイリング部分は、枢動可能に係合して前記閉位置になると組み合わせられ、外側スタイリング面を含むことを特徴とする、請求項２に記載のヘアスタイリング装置。
【請求項４】
前記外側スタイリング面は概ね円錐状の形状であることを特徴とする、請求項３に記載のヘアスタイリング装置。
【請求項５】
前記第１の細長いアーム及び前記第２の細長いアームの前記第１のスタイリング部分は、半円錐状であり、互いに係合すると、前記ヘアスタイリング装置の概ね円錐形状の外側スタイリング面を形成することを特徴とする、請求項４に記載のヘアスタイリング装置。
【請求項６】
内側スタイリング面であって、前記少なくとも２つの細長い構成要素の相対する面によって画成される、内側スタイリング面を含む、請求項３〜５のいずれか一項に記載のヘアスタイリング装置。
【請求項７】
前記内側スタイリング面は、それぞれ前記第１の細長いアーム及び前記第２の細長いアームの長さに沿って前記第１のスタイリング部分の幅に比例してテーパ状になる幅のプレートを備えることを特徴とする、請求項６に記載のヘアスタイリング装置。
【請求項８】
前記クランプは、作動レバー及び湾曲したプレートを備え、前記ヘアスタイリング装置の細長い構成要素に枢動可能に連結されている、請求項２〜７のいずれか一項に記載のヘアスタイリング装置。
【請求項９】
前記クランプは、前記ヘアスタイリング装置の、それぞれの前記第１のスタイリング部分に対して近位の前記少なくとも２つの細長いアームのうちの少なくとも一方に枢動可能に取り付けられることを特徴とする、請求項８に記載のヘアスタイリング装置。
【請求項１０】
クランプは細長いプレートを備え、該細長いプレートは、形状及び長さが前記ヘアスタイリング装置の前記外側スタイリング面に対応することを特徴とする、請求項８又は９に記載のヘアスタイリング装置。
【請求項１１】
前記細長いプレートは半円錐状のプレートであることを特徴とする、請求項１０に記載のヘアスタイリング装置。
【請求項１２】
前記クランプは、付勢手段を介して、前記ヘアスタイリング装置の少なくとも１つの細長い構成要素に向かって垂直に付勢されることを特徴とする、請求項１〜１１のいずれか一項に記載のヘアスタイリング装置。
【請求項１３】
加熱手段であって、前記電源手段は該加熱手段に動作可能に係合する、加熱手段を備え、熱制御手段をさらに備え、該熱制御手段は、前記加熱手段が前記外側スタイリング面、前記内側スタイリング面及び／又は前記クランプの少なくとも一部を加熱する温度を制御することを特徴とする、請求項６又は７に記載のヘアスタイリング装置。
【請求項１４】
モード選択手段であって、３つの加熱可能なスタイリング面のうちのどれを加熱するかを決定する手段を備えたモード選択手段を備える、請求項１３に記載のヘアスタイリング装置。
【請求項１５】
ユーザの手が使用時に前記ハンドルから前記スタイリング部分に移動することを防止する安全手段を備える、請求項１〜１４のいずれか一項に記載のヘアスタイリング装置。
【請求項１６】
前記細長い構成要素を付勢して離す細長い構成要素の付勢手段を備える、請求項１〜１５のいずれか一項に記載のヘアスタイリング装置。
【請求項１７】
前記細長い構成要素を一緒にロックするように動作可能なロックを備える、請求項１４に記載のヘアスタイリング装置。
【請求項１８】
前記ロックは、該ロックを操作することで前記モード選択手段も操作するように、該モード選択手段に動作可能に係合することを特徴とする、請求項１７に記載のヘアスタイリング装置。
【請求項１９】
前記ロックはロックボタンを備え、該ロックボタン及び前記モード選択手段は一体的な構成要素として形成されることを特徴とする、請求項１８に記載のヘアスタイリング装置。
【請求項２０】
前記ロックがロック解除位置にあるとき、前記モード選択手段は、前記第１の細長いアーム及び／若しくは前記第２の細長いアームの前記第１のスタイリング部分が加熱されることを可能にし、並びに／又は、前記ロックがロック位置にあるとき、前記モード選択手段は、前記外側スタイリング面が加熱されることを可能にすることを特徴とする、請求項１８に記載のヘアスタイリング装置。
【国際調査報告】
2021512750.tif 000026
2021512750.tif 000027
2021512750.tif 000028